(57)【要約】【課題】  美観の良好な前面パネルを作製できて、効果的に美観を向上できる空気調和機の室内機を提供すること。【解決手段】  クロスフローファン１６と熱交換器１７を収容するケーシング本体２の前面に、前面パネル２３を配置する。前面パネル２３を、ＰＭＭＡで形成すると共に、背面に塗装を施す。前面パネル２３は、ＰＭＭＡの成形時の流動長肉厚比Ｌ／ｔが４０以上２１０以下であると共に、正面から見た幅および高さが７５０ｍｍおよび１５０ｍｍ以上１２００ｍｍおよび３００ｍｍ以下である。ＰＭＭＡについて、ウェルドラインの発生や塗装によるアタックを防止できるので、良好な美観の前面パネル２３が形成できて、空気調和機の室内機の美観を向上できる。【選択図】図２
2006162132.tif 000002
【特許請求の範囲】
【請求項１】
送風ファン（１６）と熱交換器（１７）を収容するケーシング本体（２）の前面に設けられ、透明樹脂で形成されていると共に、背面に塗装が施されており、かつ、上記透明樹脂の成形時の流動長肉厚比が４０以上２１０以下であると共に、正面から見た幅および高さが７５０ｍｍおよび１５０ｍｍ以上１２００ｍｍおよび３００ｍｍ以下である前面パネル（２３）を備えることを特徴とする空気調和機の室内機。
【請求項２】
請求項１に記載の空気調和機の室内機において、
上記前面パネル（２３）を形成する透明樹脂は、１つのゲートを有する金型で成形された透明樹脂であることを特徴とする空気調和機の室内機。
【請求項３】
請求項１または２に記載の空気調和機の室内機において、
上記前面パネル（２３）は、上記透明樹脂の成形時の突出し跡が、少なくとも中央部には無いことを特徴とする空気調和機の室内機。
【請求項４】
請求項１乃至３のいずれか１つに記載の空気調和機の室内機において、
上記前面パネル（２３）は、ＰＣ、ＡＢＳおよびＰＭＭＡのうちの少なくとも１つを含む樹脂で形成されていることを特徴とする空気調和機の室内機。
【請求項５】
請求項１乃至４のいずれか１つに記載の空気調和機の室内機において、
上記前面パネル（２３）の背面は、アクリル樹脂塗料を含む塗料で塗装されていることを特徴とする空気調和機の室内機。
【発明の詳細な説明】
【技術分野】
【０００１】
本発明は、空気調和機の室内機に関し、詳しくは、空気調和機の室内機のケーシングに設けられた前面パネルに関する。
【背景技術】
【０００２】
従来より、空気調和機の室内機は、送風ファンと熱交換器をケーシング内に収容し、このケーシングの前面に前面パネルを施して、美観を向上するようにしている（例えば特開２００１−４１４８９号公報：特許文献１参照）。
【０００３】
最近、上記前面パネルを透明樹脂で形成すると共に背面に塗装を施し、前面パネルの質感を向上させて、空気調和機の室内機の美観をさらに向上させるようにしたものが提案されている。
【０００４】
しかしながら、上記前面パネルを例えばポリカーボネート等の透明樹脂で形成する場合、このような透明樹脂材料は金型内での流動性が比較的低いので、ウェルドラインが形成され易い。このウェルドラインは、背面に施される塗装によって目立ち易く、室内機の美観を損なう虞がある。また、上記ウェルドラインの近傍部分が他の部分よりも盛り上がって寸法誤差が生じたり、機械的強度が低下したりする等の問題がある。
【０００５】
また、上記透明樹脂で形成された前面パネルは、成形時の取出し工程における突出し跡が、背面に施される塗装によって目立ち易くて、室内機の美観を損なう虞がある。さらに、上記透明樹脂は塗料によってアタックされ易く、アタックされた透明樹脂は塗装面に凹凸を生じて美観が低下するので、良好な美観を有する前面パネルを作製し難いという問題がある。
【特許文献１】特開２００１−４１４８９号公報
【発明の開示】
【発明が解決しようとする課題】
【０００６】
そこで、本発明の課題は、美観の良好な前面パネルを作製できて、効果的に美観を向上できる空気調和機の室内機を提供することにある。
【課題を解決するための手段】
【０００７】
上記課題を解決するため、本発明の空気調和機の室内機は、送風ファンと熱交換器を収容するケーシング本体の前面に設けられ、透明樹脂で形成されていると共に、背面に塗装が施されており、かつ、上記透明樹脂の成形時の流動長肉厚比が４０以上２１０以下であると共に、正面から見た幅および高さが７５０ｍｍおよび１５０ｍｍ以上１２００ｍｍおよび３００ｍｍ以下である前面パネルを備えることを特徴としている。
【０００８】
上記構成によれば、正面から見た幅および高さが７５０ｍｍおよび１５０ｍｍ以上１２００ｍｍおよび３００ｍｍ以下である前面パネルについて、透明樹脂の成形時の流動長肉厚比を４０以上２１０以下にする。ここで、流動長肉厚比とは、透明樹脂を成形する金型に設けられたゲートと、この金型のキャビティにおいて上記ゲートから最も遠い位置との間の距離である流動長Ｌと、上記金型で成形される透明樹脂の厚みｔとの比Ｌ／ｔをいう。上記透明樹脂の流動長肉厚比を４０以上２１０以下にすることにより、この透明樹脂にウェルドラインが発生することを効果的に防止することができる。また、塗装によるアタックを防止することができる。したがって、上記前面パネルは、背面に施された塗装によってウェルドラインが目立つ虞や、塗装によるアタックで透明樹脂の表面に凹凸が生じることが防止できるので、美観を効果的に向上できる。その結果、空気調和機の室内機の美観を効果的に向上できる。
【０００９】
空気調和機の室内機の前面パネルは、正面から見た幅および高さが７５０ｍｍおよび１５０ｍｍ程度であって比較的大型であるので、透明樹脂の成形時にウェルドラインが発生し易いという問題がある。空気調和機の前面パネルに特有の条件の下、ウェルドラインの発生について研究を行った結果、金型内における流動距離に相関を有することに加えて、成形すべき透明樹脂の厚みにも相関を有することが見出された。また、塗装に起因する透明樹脂のアタックについても、流動長肉厚比と相関を有することが見出された。これらに基づいて、本発明がなされたのである。
【００１０】
一実施形態の空気調和機の室内機は、上記前面パネルを形成する透明樹脂は、１つのゲートを有する金型で成形された透明樹脂である。
【００１１】
上記実施形態によれば、上記透明樹脂は１つのゲートを有する金型で形成された透明樹脂であるので、ウェルドラインの発生を効果的に防止できる。
【００１２】
一実施形態の空気調和機の室内機は、上記前面パネルは、上記透明樹脂の成形時の突出し跡が、少なくとも中央部には無い。
【００１３】
上記実施形態によれば、上記透明樹脂の成形時の突出し跡が、少なくとも中央部には無いので、上記前面パネルは、背面に塗装が施されても突出し跡が目立たない。したがって、空気調和機の室内機の美観が損なわれることを効果的に防止できる。
【００１４】
なお、上記透明樹脂の形成時の突出し跡は、上記前面パネルの中央部には無くて、上記前面パネルの縁の屈曲部に存在するのが好ましい。
【００１５】
一実施形態の空気調和機の室内機は、上記前面パネルは、ＰＣ（ポリカーボネート）、ＡＢＳ（アクロルニトリル・ブタジエン・スチレン）またはＰＭＭＡ（ポリメタクリル酸メチル）を含む樹脂で形成されている。
【００１６】
上記実施形態によれば、上記前面パネルは、ＰＣ、ＡＢＳおよびＰＭＭＡのうちの少なくとも１つを含む樹脂で形成されることにより、本発明を適用することにより、ウェルドラインの発生を効果的に低減して美観の良好な空気調和機の室内機が得られる。
【００１７】
一実施形態の空気調和機の室内機は、上記前面パネルの背面は、アクリル樹脂塗料を含む塗料で塗装されている。
【００１８】
上記実施形態によれば、上記前面パネルを形成する透明樹脂は、アクリル樹脂塗料を含む塗料を用いる場合においても、本発明を適用することにより、冒され難くて美観の良好な空気調和機の室内機が得られる。
【発明の効果】
【００１９】
以上のように、本発明の空気調和機の室内機は、送風ファンと熱交換器を収容するケーシング本体の前面に設けられ、透明樹脂で形成されていると共に、背面に塗装が施されており、かつ、上記透明樹脂の成形時の流動長肉厚比が４０以上２１０以下であると共に、正面から見た幅および高さが７５０ｍｍおよび１５０ｍｍ以上１２００ｍｍおよび３００ｍｍ以下である前面パネルを備えるので、上記透明樹脂にウェルドラインが発生することを効果的に防止することができ、したがって、上記前面パネルの背面に施された塗装によってウェルドラインが目立つ虞を防止できるので、空気調和機の室内機の美観を効果的に向上できる。
【発明を実施するための最良の形態】
【００２０】
以下、本発明を図示の実施の形態により詳細に説明する。
【００２１】
図１は、本発明の空気調和機の室内機を示す断面図である。
【００２２】
この空気調和機の室内機は、室内の壁面に取り付けられるケーシング本体２と、このケーシング本体２の前面に取り付けられた前面パネル２３とを備える。上記ケーシング本体２は、背面側ケーシング１２と、この背面側ケーシング１２の前面に取り付けられた前面側ケーシング２２とで構成されている。上記背面側ケーシング１２は、底フレーム１１で壁面に固定されている。上記前面側ケーシング２２の前面から見え易い位置に、上記前面パネル２３が取り付けられている。
【００２３】
ケーシング本体２の背面側ケーシング１２の上部に、格子状のグリルを有する上面吸引口１３が設けられている。また、上記ケーシング本体２の前面側ケーシング２２の上部に、概略水平方向に配置されたグリルを有する前面吸込口２８が設けられている。さらに、背面側ケーシング１２の下部と前面ケーシング２２の下端との間に送風口１５が形成されており、水平フラップ、垂直フラップなどの風向調整機構が配置されている。
【００２４】
上記ケーシング本体２の内部には、送風ファンとしてのクロスフローファン１６が設けられている。このクロスフローファン１６は、長手方向に平行な複数の羽根が円周方向に順次設けられた略円筒形状のものであり、回転軸に対して直交する方向に空気流を生成することが可能となっている。このクロスフローファン１６は、図示しないファンモータによって回転駆動され、送風口１５に向けて空気流を生成する。
【００２５】
上記ケーシング本体２の内部には、上記クロスフローファン１６によって生成される空気流の通路上に、熱交換器１７が配置されている。この熱交換器１７は、所定の間隔で配列されるフィンと、各フィンに挿通されるとともにフィンの配列方向両端部において屈曲して冷媒経路を構成する伝熱管とを備える。この熱交換器１７に、クロスフローファン１６によって上面吸引口１３および前面吸込口２８から室内の空気が導かれて、この空気と、上記熱交換器１７内を流れる冷媒との間で熱交換を行う。この熱交換によって冷却または加熱した空気を、上記送風口１５から室内に吹き出すようになっている。上記熱交換器１７は、前面側熱交換器１７Ａと背面側熱交換器１７Ｂとが逆Ｖ字形状に組み合わされて形成されており、上記前面側熱交換器１７Ａと背面側熱交換器１７Ｂとの間に、クロスフローファン１６が配置されている。
【００２６】
上記ケーシング本体２内には、前面側熱交換器１７Ａの下端部下方に位置して、前面側熱交換器１７Ａで発生した凝縮水を受け取るためのドレンパン１８が設けられている。また、背面側熱交換器１７Ｂの下端部下方に位置して、背面側熱交換器１７Ｂで発生した凝縮水を受け取るためのドレンパン１９が設けられている。
【００２７】
上記ケーシング本体２の背面側ケーシング１２には、フィルタ取付枠が設けられており、室内機の上面部から前面部に亘ってエアフィルタ２１を取り付けることが可能となっている。上記背面側ケーシング１２の前方に、上記前面パネル２３が取り付けられた前面側ケーシング２２が取り付けられている。
【００２８】
上記前面側ケーシング２２の上端部には、幅方向に延在する支持ピンを有する支持部材が固定されており、この支持部材によって前面側ケーシング２２が背面側ケーシング１２に回動自在に支持されている。また、前面側ケーシング２２の下部には、背面側ケーシング１２の一部に係合するフック部が設けられている。このことにより、前面側ケーシング２２は、支持部材を中心に室内機の前面側に回動することによってエアフィルタ２１の前面を露出させることが可能であるとともに、フック部で背面側ケーシング１２に係合することにより閉止状態とすることが可能となっている。
【００２９】
上記前面側ケーシング２２には、正面から見た上側部分に、概略鉛直方向を向く平面部分と、この平面部分の下側に連なって室内空気を導くための湾曲面部分とが形成されており、この湾曲面部分の下端に、概略水平方向にグリルが取り付けられた前面吸込口２８が形成されている。この前面吸込口２８の前方に、上記前面パネル２３の上端部分が位置している。この前面パネル２３は、下端が上記前面側ケーシング２２の下端と一致するように、上記前面側ケーシング２２に取り付けられている。
【００３０】
上記構成の空気調和機の室内機において、上記前面パネル２３は、透明樹脂としてのＰＭＭＡ（ポリメタクリル酸メチル）で形成されており、背面側に塗装が施されている。この前面パネル２３は、前面から見て幅および高さが７９０ｍｍ×１６０ｍｍの寸法を有する。また、この前面パネル２３は、ゲートの数が１つである金型を用いて成形されており、上記金型内におけるＰＣ材料の流動長を、成形後のＰＣの厚みで除した値である流動長肉厚比Ｌ／ｔが、１５６になっている。具体的には、図２の模式図に示すように、前面パネル２３の上記ゲートに対応するゲート対応位置Ｇと、このゲート対応位置Ｇから最も遠い角との間の距離Ｌが３９０ｍｍであると共に、厚みが２．５ｍｍに形成されている。
【００３１】
また、上記前面パネル２３は、ＰＣの成形時に、取出し工程において発生するエジェクタによる突出し跡が、中央部には無くて、縁の屈曲部である角部に存在している。すなわち、上記前面パネル２３のＰＣを形成するための金型は、角部に対応する位置にエジェクタが設けられている。
【００３２】
また、上記前面パネル２３の背面側は、塗料としてのアクリル樹脂塗料を用いて塗装が施されている。
【００３３】
上記前面パネル２３は、上記ＰＭＭＡを成形する際の流動長肉厚比Ｌ／ｔが、１５６であり、４０以上２１０以下であることから、ＰＭＭＡのウェルドラインの発生と、上記塗料によるＰＭＭＡのアタックを防止することができる。
【００３４】
以下、透明樹脂の流動長肉厚比Ｌ／ｔと、透明樹脂のウェルドラインの発生および塗料によるアタックとの相関について、説明する。
【００３５】
本発明者は、透明樹脂材料としてのＰＣ（ポリカーボネート）、ＡＢＳ（アクロルニトリル・ブタジエン・スチレン）、および、ＰＭＭＡ（ポリメタクリル酸メチル）について、流動長肉厚比Ｌ／ｔを変えると共に、ウェルドラインの発生の有無を観察して実験を行った。その実験結果は、下記の表１に示す通りである。
【００３６】
【表１】
2006162132.tif 000003
【００３７】
表１において、PMMA+GPPSは、ＰＭＭＡにＧＰＰＳ（General Purpose Polystyrene：一般用ポリスチレン）を混合して得た透明樹脂であり、PMMA+HIPSは、ＰＭＭＡにＨＩＰＳ（High-Impact Polystyrene：耐衝撃性ポリスチレン）を混合して得た透明樹脂である。PMMA+GPPSは、強度および透明度の点から、ＰＭＭＡとＧＰＰＳの比が６：４から２：８までの間であるのが好ましく、実験では、６：４の比のものを用いた。また、PMMA+HIPSは、強度および透明度の点から、ＰＭＭＡとＨＩＰＳの比が６：４から２：８までの間であるのが好ましく、実験では、３：７の比のものを用いた。
【００３８】
表１から分かるように、流動長肉厚比Ｌ／ｔを４０以上２１０以下にすることにより、透明樹脂のウェルドラインの発生を概ね防止することができる。さらに、他の実験によれば、流動長肉厚比Ｌ／ｔを５０以上８０以下にすることにより、表１に示されたいずれの材料の透明樹脂についても、ウェルドラインの発生を効果的に防止することができる。
【００３９】
さらに、本発明者は、透明樹脂材料としての上記ＰＣ、ＡＢＳ、および、ＰＭＭＡについて、塗料によるアタックの受け易さについて実験を行った。すなわち、上記各透明樹脂を、Ｌ／ｔを変えて通常の射出圧力の下で射出成形によって成形し、その背面に塗料を塗ってアタックの発生の有無を調べた。塗料は、アクリル樹脂塗料を用いて、この塗装を施した透明基板に、前面側から目視できる程度の凹凸が生じた場合をアタック有りとし、前面側から目視できる程度の凹凸が生じていない場合をアタック無しとした。その実験結果は、下記の表２に示す通りである。
【００４０】
【表２】
2006162132.tif 000004
【００４１】
表２から分かるように、流動長肉厚比Ｌ／ｔを４０以上２１０以下にすることにより、塗料による透明樹脂のアタックの発生を概ね防止することができる。他の実験によれば、流動長肉厚比Ｌ／ｔを５０以上８０以下にすることにより、表１に示されたいずれの材料の透明樹脂についても、ウェルドラインの発生を効果的に防止することができる。
【００４２】
なお、塗料としては、エナメル塗料やラッカー塗料等の他の塗料を用いてもよい。
【００４３】
以上のことから、流動長肉厚比Ｌ／ｔを、４０以上２１０以下にすることにより、透明樹脂のウェルドラインの発生を防止すると共に、塗料による透明樹脂のアタックを防止することができて、良好な美観を有する前面パネル２３を形成することができる。
【００４４】
また、上記前面パネル２３は、取出し工程において生じる突出し跡が、中央部には無くて、縁の屈曲部である角部に存在しているので、裏面に塗装が施された場合においても、上記突出し跡を目立たなくすることができる。したがって、良好な美観を有する前面パネル２３を形成することができる。
【００４５】
このような良好な美観を有する前面パネル２３を用いることにより、空気調和機の室内機の美観を効果的に向上することができる。
【００４６】
なお、上記前面パネル２３は、前面側ケーシング２２とともに透明樹脂で一体成形により製作してもよく、また、前面側ケーシング２２とは別体で形成して前面ケーシング２２に溶着または接着などによって固定してもよい。
【００４７】
また、上記前面パネル２３は、ＰＭＭＡに限られず、ＡＢＳ、ＰＣ、ＰＭＭＡ＋ＧＰＰＳまたはＰＭＭＡ＋ＨＩＰＳあるいはこれらの組み合わせ等の他の透明樹脂材料で形成してもよい。
【００４８】
また、上記前面パネル２３は、幅および高さが７９０ｍｍ×１６０ｍｍの寸法に限られず、幅および高さが７５０ｍｍ×１５０ｍｍ以上１２００ｍｍ×３００ｍｍ以下であってもよい。
【００４９】
また、上記流動長肉厚比Ｌ／ｔは、１５６に限られず、４０以上２１０以下の範囲で適宜設定することができる。
【００５０】
また、上記前面パネル２３は、実施形態に示した形状に限られず、所定の流動長肉厚比Ｌ／ｔを有する限り、あらゆる形状に形成できる。
【図面の簡単な説明】
【００５１】
【図１】本発明の空気調和機の室内機を示す断面図である。
【図２】前面パネルの流動長肉厚比を説明するための模式図である。
【符号の説明】
【００５２】
２  ケーシング本体
１６  送風ファン
１７  熱交換器
２３  前面パネル
【図１】
2006162132.tif 000005
【図２】
2006162132.tif 000006